(57)【特許請求の範囲】
【請求項１】
正面視で、壁体に固定的に装着された固定枠を含み、前記固定枠内には浮上レールが設置され、前記浮上レール内には仕切りドアがスライド可能に装着され、前記固定枠内には移動部品が設置され、前記移動部品は前記仕切りドアが浮上した後に前記仕切りドアを移動させて密封して隔離し、又は開けることができ、前記移動部品は電磁体を含み、前記電磁体は前記固定枠内に左右対称に設置され、前記仕切りドア内には永久磁体が固定的に装着され、前記電磁体が通電された後に、前記永久磁体を排斥し、仕切りドアを浮上させ、前記固定枠内にはスライド移動空間が設置され、前記スライド移動空間の右側面には第一モータが固定的に装着でき、前記第一モータの出力軸にはネジ山軸が固定的に装着され、前記ネジ山軸にはネジ山ブロックがネジ山で装着され、前記ネジ山ブロックは前記仕切りドアを押し動かして左右に移動させることができ、前記ネジ山ブロックが前記仕切りドアを右へ移動連動させる時に、隔離を行い、前記固定枠内には前記仕切りドアを締め付けられる締付部品が設置され、
前記締付部品は締付チャンバを含み、前記締付チャンバは前記固定枠内に前後対称に設置され、前記浮上レールの左側にはばね空間が設置され、前記締付チャンバには締付板がスライド可能に装着され、また前記締付板が右方へ前記浮上レールのところに伸びており、前記締付板は前記ばね空間を貫通し、前記ばね空間内には締付ボタンが設置され、前記締付ボタンは前記締付板を押し動かして前記仕切りドアを締め付けられ、前記仕切りドアの揺れを防げ、前記締付ボタンを一回押すことで、前記締付ボタンは前記締付板を連動させ、前記締付板が前記仕切りドアを始終締め付けられ、前記締付ボタンをもう一回押すことで、前記締付板が前記仕切りドアを緩められ、前記仕切りドア内には緊急出口部品が設置され、
前記緊急出口部品は火事が発生した後に、臨時通過に便利であり、前記緊急出口部品は緊急出入口を含み、前記緊急出入口は前記仕切りドア内に設置され、前記緊急出入口内には閉鎖門が左右対称に、且つスライド可能に装着され、前記閉鎖門は前記緊急出入口を閉鎖でき、前記閉鎖門を開いた後に、前記緊急出入口から出入りでき、
前記移動部品は第一着磁レールと第二着磁レールも含み、前記第一着磁レールは前記浮上レールの底壁に固定的に装着され、前記仕切りドアの底面には第二着磁レールが固定的に装着され、前記永久磁体は前記第二着磁レールに磁気を帯びさせ、
前記固定枠の前後面には検測器が前後対称に、且つ固定的に装着され、前記固定枠内には制御器が固定的に装着され、前記制御器は前記第一モータと、前記検測器と電気信号が伝達できるよう連結され、前記制御器の下側には触点チャンバが設置され、前記触点チャンバ内にはロック穴が回転可能に装着され、前記触点チャンバの左右内壁には電極触点が左右対称に、且つ固定的に装着され、前記固定枠の後側面にはスイッチボタンが上下対称に固定されており、
前記仕切りドアの頂面には適応ブロックが固定的に装着され、前記適応ブロックには適応空間が設置され、前記適応空間と前記ネジ山ブロックとはスライド可能に装着され、前記スライド移動空間の左側内壁には位置制限スイッチが上下対称に、且つ固定的に装着されており、
前記締付部品は左方に開口したロックフック孔チャンバとロックフックとを含み、前記ロックフック孔チャンバは前記固定枠に上下対称に設置され、前記仕切りドアの右側面にはロックフックが固定的に装着され、前記ロックフックは前記ロックフック孔チャンバと引っ掛かることができ、
前記締付ボタンには推動棒が固定的に装着され、前記推動棒と前記締付板とはスライド可能に装着され、前記推動棒と前記ばね空間の底壁との間には第一ばねが固定的に装着され、前記締付板と前記締付チャンバの片側内壁との間には第二ばねが固定的に装着され、前記締付板にはゴムブロックが固定的に装着され、前記ゴムブロックは前記仕切りドアを締め付けられ、前記ばね空間の下側にはスライド棒チャンバが設置され、前記スライド棒チャンバ内にはスライド棒空間が設置され、前記締付ボタンの底面にはスライド棒が固定的に装着され、前記スライド棒空間と前記スライド棒とはスライド可能に装着されており、
前記スライド棒空間には凹部が形成され、
スライド棒は前記スライド棒空間にある凹部と引っ掛かることができ、スライド棒とスライド棒空間の右側内壁とは始終に押し合い状態にあり、
前記緊急出口部品は弾み車空間と、第二モータと、第二モータ軸と、弾み車と、コンロッドとを含み、前記弾み車空間は前記緊急出入口の上側に設置され、前記弾み車空間の後側内壁内には第二モータが固定的に装着され、前記第二モータと前記制御器とは電気信号が伝達できるように連結され、前記第二モータの出力軸には第二モータ軸が固定的に装着され、前記第二モータ軸には弾み車が回転可能に装着され、前記弾み車にはコンロッドが上下対称に、且つヒンジで連結され、前記コンロッドと前記閉鎖門とはヒンジで装着されていることを特徴とする防火用の磁気浮上式レール移動隔離システム。
【発明の詳細な説明】
【技術分野】
【０００１】
本発明は防火防災分野を取り上げ、具体的には防火用の磁気浮上式レール移動隔離システムである。  
【背景技術】
【０００２】
室内で火事が発生する時に、人命と財産を守るため、一般的に防火施設を数多く建設する必要がある。また、火事が発生した後に、火勢の蔓延と烟の拡散を防ぐため、防火隔離帯を引き下ろして火と烟を隔離する必要がある。現在汎用されている防火隔離システムは基本的にシャッター式隔離ドアを用い、しかし、火事になった後に、質量が大きいため、隔離ドアを開けるには時間がかかる。また、長く使われた後に、大量の摩損を生じ、システム全体の防火効果が下がる。  
一般的な隔離システムは火事が発生した後に、手動でシャッターを下ろす必要があり、火事の発生状況を監視できなく、また、一部の隔離システムには緊急出入口が設置されていなく、あるいは設置された出入口は緊急時において使用が不便である。  
【先行技術文献】
【特許文献】
【０００３】
【特許文献１】中国特許出願公開第１０２５４３５５０号明細書
【発明の概要】
【発明が解決しようとする課題】
【０００４】
本発明は防火用の磁気浮上式レール移動隔離システムを提供し、既存技術にある上記の欠点を解消することを目的とする。  
【課題を解決するための手段】
【０００５】
本発明の実施例による防火用の磁気浮上式レール移動隔離システムは、壁体に固定的に装着された固定枠を含み、前記固定枠内には浮上レールが設置され、前記浮上レール内には仕切りドアがスライド可能に装着され、前記固定枠内には移動部品が設置され、前記移動部品は前記仕切りドアが浮上した後に前記仕切りドアを移動させて密封して隔離し、又は開けることができ、前記移動部品は電磁体を含み、前記電磁体は前記固定枠内に左右対称に設置され、前記仕切りドア内には永久磁体が固定的に装着され、前記電磁体が通電された後に、前記永久磁体を排斥し、仕切りドアを浮上させ、前記固定枠内にはスライド移動空間が設置され、前記スライド移動空間の右側面には第一モータが固定的に装着でき、前記第一モータの出力軸にはネジ山軸が固定的に装着され、前記ネジ山軸にはネジ山ブロックがネジ山で装着され、前記ネジ山ブロックは前記仕切りドアを押し動かして左右に移動させることができ、前記ネジ山ブロックが前記仕切りドアを右へ移動連動させる時に、隔離を行い、前記固定枠内には前記仕切りドアを締め付けられる締付部品が設置され、前記締付部品は締付チャンバを含み、前記締付チャンバは前記固定枠内に前後対称に設置され、前記浮上レールの左側にはばね空間が設置され、前記締付チャンバには締付板がスライド可能に装着され、また前記締付板が右方へ前記浮上レールのところに伸びており、前記締付板は前記ばね空間を貫通し、前記ばね空間内には締付ボタンが設置され、前記締付ボタンは前記締付板を押し動かして前記仕切りドアを締め付けられ、前記仕切りドアの揺れを防げ、前記締付ボタンを一回押すことで、前記締付ボタンは前記締付板を連動させ、前記締付板が前記仕切りドアを始終締め付けられ、前記締付ボタンをもう一回押すことで、前記締付板が前記仕切りドアを緩められ、前記仕切りドア内には緊急出口部品が設置され、前記緊急出口部品は火事が発生した後に、臨時通過に便利であり、前記緊急出口部品は緊急出入口を含み、前記緊急出入口は前記仕切りドア内に設置され、前記緊急出入口内には閉鎖門が左右対称に、且つスライド可能に装着され、前記閉鎖門は前記緊急出入口を閉鎖でき、前記閉鎖門を開いた後に、前記緊急出入口から出入りできる。  
【０００６】
前述した技術プランの上で、前記移動部品は第一着磁レールと第二着磁レールも含み、前記第一着磁レールは前記浮上レールの底壁に固定的に装着され、前記仕切りドアの底面には第二着磁レールが固定的に装着され、前記永久磁体は前記第二着磁レールに磁気を帯びさせる。  
【０００７】
前述した技術プランの上で、前記固定枠の前後面には検測器が前後対称に、且つ固定的に装着され、前記固定枠内には制御器が固定的に装着され、前記制御器は前記第一モータと、前記検測器と電気信号が伝達できるよう連結され、前記制御器の下側には触点チャンバが設置され、前記触点チャンバ内にはロック穴が回転可能に装着され、前記触点チャンバの左右内壁には電極触点が左右対称に、且つ固定的に装着され、前記固定枠の後側面にはスイッチボタンが上下対称に固定されている。  
【０００８】
前述した技術プランの上で、前記仕切りドアの頂面には適応ブロックが固定的に装着され、前記適応ブロックには適応空間が設置され、前記適応空間と前記ネジ山ブロックとはスライド可能に装着され、前記スライド移動空間の左側内壁には位置制限スイッチが上下対称に、且つ固定的に装着されている。  
【０００９】
前述した技術プランの上で、前記締付部品は左方に開口したロックフック孔チャンバとロックフックを含み、前記ロックフック孔チャンバは前記固定枠に上下対称に設置され、前記仕切りドアの右側面にはロックフックが固定的に装着され、前記ロックフックは前記ロックフック孔チャンバと引っ掛かることができ、前記第二着磁レールの底面には位置制限ブロックが固定的に装着されている。  
【００１０】
前述した技術プランの上で、前記締付ボタンには推動棒が固定的に装着され、前記推動棒と前記締付板とはスライド可能に装着され、前記推動棒と前記ばね空間の底壁との間には第一ばねが固定的に装着され、前記締付板と前記締付チャンバの片側内壁との間には第二ばねが固定的に装着され、前記締付板にはゴムブロックが固定的に装着され、前記ゴムブロックは前記仕切りドアを締め付けられ、前記ばね空間の下側にはスライド棒チャンバが設置され、前記スライド棒チャンバ内にはスライド棒空間が設置され、前記締付ボタンの底面にはスライド棒が固定的に装着され、前記スライド棒空間と前記スライド棒とはスライド可能に装着されている。  
【００１１】
前述した技術プランの上で、前記スライド棒空間には凹部が形成され、前記スライド棒は前記スライド棒空間にある凹部と引っ掛かることができ、前記スライド棒と前記スライド棒空間の右側内壁とは始終に押し合い状態にある。  
【００１２】
前述した技術プランの上で、前記緊急出口部品は弾み車空間と、第二モータと、第二モータ軸と、弾み車と、コンロッドとを含み、前記弾み車空間は前記緊急出入口の上側に設置され、前記弾み車空間の後側内壁内には第二モータが固定的に装着され、前記第二モータと前記制御器とは電気信号が伝達できるように連結され、前記第二モータの出力軸には第二モータ軸が固定的に装着され、前記第二モータ軸には弾み車が回転可能に装着され、前記弾み車にはコンロッドが上下対称に、且つヒンジで連結され、前記コンロッドと前記閉鎖門とはヒンジで装着されている。  
【発明の効果】
【００１３】
本発明は以下のプラス効果を有する：本発明は磁気浮上の原理を用い、質量の大きい仕切りドアが防火隔離をする時に、素早く反応でき、各機械部品の摩損を軽減し、使用寿命を延ばし、また、室内の火事状況と人員を監視でき、火事が発生した時に、自動的に防火隔離を行い、人員が通過する時に、自動的に緊急出入口を開け、避難を便利にさせ、通常のドアとして使用でき、開閉が便利であり、さらに、仕切りドアが開けた又は閉じた後に、ボタンを押すだけで仕切り板の位置を固定でき、普及に値する。  
【図面の簡単な説明】
【００１４】
下記に図１〜７を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。  
【００１５】
【図１】図１は本発明の全体構成略図
【図２】図２は図１におけるＡ―Ａ方向からの断面構成略図
【図３】図３は図１におけるＢ―Ｂ方向からの断面構成略図
【図４】図４は図１におけるＣの拡大構成略図
【図５】図５は図１におけるＤ―Ｄ方向からの断面構成略図
【図６】図６は図３におけるＥ―Ｅ方向からの断面構成略図
【図７】図７は図３におけるＦ―Ｆ方向からの断面構成略図
【発明を実施するための形態】
【００１６】
付図１〜７を参照し、本発明の実施例による防火用の磁気浮上式レール移動隔離システムは、壁体に固定的に装着された固定枠１０を含み、前記固定枠１０内には浮上レール１２が設置され、前記浮上レール１２内には仕切りドア３０がスライド可能に装着され、前記固定枠１０内には移動部品８０が設置され、前記移動部品８０は前記仕切りドア３０が浮上した後に前記仕切りドア３０を移動させて密封して隔離し、又は開けることができ、前記移動部品８０は電磁体１１を含み、前記電磁体１１は前記固定枠１０内に左右対称に設置され、前記仕切りドア３０内には永久磁体１７が固定的に装着され、前記電磁体１１が通電された後に、前記永久磁体１７を排斥し、仕切りドア３０を浮上させ、前記固定枠１０内にはスライド移動空間５１が設置され、前記スライド移動空間５１の右側面には第一モータ２９が固定的に装着でき、前記第一モータ２９の出力軸にはネジ山軸３１が固定的に装着され、前記ネジ山軸３１にはネジ山ブロック３２がネジ山で装着され、前記ネジ山ブロック３２は前記仕切りドア３０を押し動かして左右に移動させることができ、前記ネジ山ブロック３２が前記仕切りドア３０を右へ移動連動させる時に、隔離を行い、前記固定枠１０内には前記仕切りドア３０を締め付けられる締付部品８１が設置され、前記締付部品８１は締付チャンバ４４を含み、前記締付チャンバ４４は前記固定枠１０内に前後対称に設置され、前記浮上レール１２の左側にはばね空間４１が設置され、前記締付チャンバ４４には締付板４３がスライド可能に装着され、また前記締付板４３が右方へ前記浮上レール１２のところに伸びており、前記締付板４３は前記ばね空間４１を貫通し、前記ばね空間４１内には締付ボタン４６が設置され、前記締付ボタン４６は前記締付板４３を押し動かして前記仕切りドア３０を締め付けられ、前記仕切りドア３０の揺れを防げ、前記締付ボタン４６を一回押すことで、前記締付ボタン４６は前記締付板４３を連動させ、前記締付板４３が前記仕切りドア３０を始終締め付けられ、前記締付ボタン４６をもう一回押すことで、前記締付板４３が前記仕切りドア３０を緩められ、前記仕切りドア３０内には緊急出口部品８２が設置され、前記緊急出口部品８２は火事が発生した後に、臨時通過に便利であり、前記緊急出口部品８２は緊急出入口１８を含み、前記緊急出入口１８は前記仕切りドア３０内に設置され、前記緊急出入口１８内には閉鎖門５０が左右対称に、且つスライド可能に装着され、前記閉鎖門５０は前記緊急出入口１８を閉鎖でき、前記閉鎖門５０を開いた後に、前記緊急出入口１８から出入りできる。  
【００１７】
また、実施例において、前記移動部品８０は第一着磁レール１４も含み、前記第一着磁レール１４は前記浮上レール１２の底壁に固定的に装着され、前記仕切りドア３０の底面には第二着磁レール１６が固定的に装着され、前記永久磁体１７は前記第二着磁レール１６に磁気を帯びさせ、
電磁体１１が通電された後に、電磁体１１は前記第一着磁レール１４に磁気を帯びさせ、第一着磁レール１４は第二着磁レール１６を押し動かして仕切りドア３０を上方へ押し動かし、仕切りドア３０を浮上レール１２内に浮上させ、移動を便利にさせる。  
【００１８】
また、実施例において、前記固定枠１０の前後面には検測器３６が前後対称に、且つ固定的に装着され、前記固定枠１０内には制御器２８が固定的に装着され、前記制御器２８は前記第一モータ２９と、前記検測器３６と電気信号が伝達できるよう連結され、前記制御器２８の下側には触点チャンバ２６が設置され、前記触点チャンバ２６内にはロック穴２５が回転可能に装着され、前記触点チャンバ２６の左右内壁には電極触点２７が左右対称に、且つ固定的に装着され、前記固定枠１０の後側面にはスイッチボタン３７が上下対称に固定され、前記検測器３６は火事状況を監視でき、前記検測器３６が火事を検測した後に、信号を前記制御器２８に送り、前記制御器２８は前記第一モータ２９を制御して前記仕切りドア３０に隔離を行わせ、
上側のスイッチボタン３７を長押しすることで、第一モータ２９は回転し、仕切りドア３０に防火隔離を行わせ、下側のスイッチボタン３７を長押しすることで、第一モータ２９は逆回転し、仕切りドア３０に隔離を止めさせ、人が固定枠１０の前側に位置する時に、鍵をロック穴２５内に差し込み、左方へ回し、ロック穴２５と左側の電極触点２７とを接触させ、それにより、第一モータ２９は回転し、仕切りドア３０に防火隔離を行わせ、鍵を右方へ回す時に、第一モータ２９は逆回転し、仕切りドア３０に隔離を止めさせる。  
【００１９】
また、実施例において、前記仕切りドア３０の頂面には適応ブロック３３が固定的に装着され、前記適応ブロック３３には適応空間３４が設置され、前記適応空間３４と前記ネジ山ブロック３２とはスライド可能に装着され、前記スライド移動空間５１の左側内壁には位置制限スイッチ３５が上下対称に、且つ固定的に装着され、
第一モータ２９を起動し、第一モータ２９の回転はネジ山ブロック３２を駆動して左右にスライドさせ、ネジ山ブロック３２の左右スライドは仕切りドア３０を駆動して左右にスライドさせ、仕切りドア３０が右方へスライドすることで防火隔離を行え、仕切りドア３０が左方へスライドすることで隔離を止め、ネジ山ブロック３２が左方へ運動して位置制限スイッチ３５を触発した後に、第一モータ２９の回転を止めさせることができる。
【００２０】
また、実施例において、前記締付部品８１は左方に開口したロックフック孔チャンバ２３を含み、前記ロックフック孔チャンバ２３は前記固定枠１０に上下対称に設置され、前記仕切りドア３０の右側面にはロックフック２４が固定的に装着され、前記ロックフック２４は前記ロックフック孔チャンバ２３と引っ掛かることができ、前記第二着磁レール１６の底面には位置制限ブロック１５が固定的に装着され、
位置制限ブロック１５は電磁体１１が非通電状態にある時に、第一着磁レール１４の右側面と引っ掛かることができる。  
【００２１】
また、実施例において、前記締付ボタン４６には推動棒４２が固定的に装着され、前記推動棒４２と前記締付板４３とはスライド可能に装着され、前記推動棒４２と前記ばね空間４１の底壁との間には第一ばね４５が固定的に装着され、前記締付板４３と前記締付チャンバ４４の片側内壁との間には第二ばね４７が固定的に装着され、前記締付板４３にはゴムブロック４８が固定的に装着され、前記ゴムブロック４８は前記仕切りドア３０を締め付けられ、前記ばね空間４１の下側にはスライド棒チャンバ３８が設置され、前記スライド棒チャンバ３８内にはスライド棒空間３９が設置され、前記締付ボタン４６の底面にはスライド棒４０が固定的に装着され、前記スライド棒空間３９と前記スライド棒４０とはスライド可能に装着され、
締付ボタン４６を一回押す時に、スライド棒空間３９は締付ボタン４６の位置を固定でき、締付板４３が仕切りドア３０を始終締め付けられ、締付ボタン４６をもう一回押す時に、スライド棒空間３９は締付ボタン４６を固定しなくなり、第一ばね４５は締付ボタン４６を上方へ跳ね上がらせ、締付板４３は仕切りドア３０を締め付けなくなる。  
【００２２】
また、実施例において、前記スライド棒空間３９には凹部が形成され、
スライド棒４０は前記スライド棒空間３９にある凹部と引っ掛かることができ、スライド棒４０とスライド棒空間３９の右側内壁とは始終に押し合い状態にある。  
【００２３】
また、実施例において、前記緊急出口部品８２は弾み車空間１９を含み、前記弾み車空間１９は前記緊急出入口１８の上側に設置され、前記弾み車空間１９の後側内壁内には第二モータ４９が固定的に装着され、前記第二モータ４９と前記制御器２８とは電気信号が伝達できるように連結され、前記第二モータ４９の出力軸には第二モータ軸２２が固定的に装着され、前記第二モータ軸２２には弾み車２１が回転可能に装着され、前記弾み車２１にはコンロッド２０が上下対称に、且つヒンジで連結され、前記コンロッド２０と前記閉鎖門５０とはヒンジで装着され、
仕切りドア３０が右方へスライドし、防火隔離を行う時に、もし検測器３６は人が固定枠１０に接近することを感知したら、検測器３６は信号を制御器２８に送り、制御器２８は第二モータ４９を回転させ、閉鎖門５０を開け、人が通過した後に、第二モータ４９は制御されて閉鎖門５０を連動させて緊急出入口１８を閉鎖する。  
【００２４】
利用時に、検測器３６は火事状況を監視でき、検測器３６が火事を検測した後に、信号を制御器２８に送り、制御器２８が電磁体１１に通電させた後に、電磁体１１は第一着磁レール１４に磁気を帯びさせ、第一着磁レール１４は第二着磁レール１６を押し動かして仕切りドア３０を上方へ押し動かし、仕切りドア３０を浮上レール１２内に浮上させ、移動を便利にさせ、制御器２８は第一モータ２９を制御して起動させ、第一モータ２９の回転はネジ山ブロック３２を駆動して右方へスライドさせ、ネジ山ブロック３２のスライドは仕切りドア３０を駆動して右方へスライドさせ、仕切りドア３０が右方へスライドすることで防火隔離を行え、検測器３６は人が固定枠１０に接近することを感知した時に、検測器３６は信号を制御器２８に送り、制御器２８は第二モータ４９を回転させ、閉鎖門５０を開け、人が通過した後に、第二モータ４９は制御されて閉鎖門５０を連動させて緊急出入口１８を閉鎖する。  
【００２５】
上側のスイッチボタン３７を長押しすることで、第一モータ２９は回転し、仕切りドア３０に防火隔離を行わせ、下側のスイッチボタン３７を長押しすることで、第一モータ２９は逆回転し、仕切りドア３０に隔離を止めさせ、ネジ山ブロック３２が左方へ運動して位置制限スイッチ３５を触発した後に、第一モータ２９の回転を止めさせることができ、人が固定枠１０の前側に位置する時に、鍵をロック穴２５内に差し込み、左方へ回し、ロック穴２５と左側の電極触点２７とを接触させ、それにより、第一モータ２９は回転し、仕切りドア３０に防火隔離を行わせ、鍵を右方へ回す時に、第一モータは逆回転し、仕切りドア３０に隔離を止めさせる。  
【００２６】
第一モータ２９の回転で仕切りドア３０が駆動されて右方へ移動し、隔離を行う時に、電磁体１１が非通電状態にあれば、ロックフック２４はロックフック孔チャンバ２３と引っ掛かることができ、位置制限ブロック１５は第一着磁レール１４の右側面と引っ掛かることができ、仕切りドア３０が必要とした位置に運動した時に、締付ボタン４６を一回押して、スライド棒空間３９は締付ボタン４６の位置を固定でき、締付板４３が仕切りドア３０を始終締め付けられ、締付ボタン４６をもう一回押す時に、スライド棒空間３９は締付ボタン４６を固定しなくなり、第一ばね４５は締付ボタン４６を上方へ跳ね上がらせ、締付板４３は仕切りドア３０を締め付けなくなる。  
【００２７】
本発明は以下のプラス効果を有する：本発明は磁気浮上の原理を用い、質量の大きい仕切りドアが防火隔離をする時に、素早く反応でき、各機械部品の摩損を軽減し、使用寿命を延ばし、また、室内の火事状況と人員を監視でき、火事が発生した時に、自動的に防火隔離を行い、人員が通過する時に、自動的に緊急出入口を開け、避難を便利にさせ、通常のドアとして使用でき、開閉が便利であり、さらに、仕切りドアが開けた又は閉じた後に、ボタンを押すだけで仕切り板の位置を固定でき、普及に値する。  
【００２８】
本分野の従業員が明確できるのは、本発明の主旨と発想から離脱しない場合で、以上の実施例に各種な変形が加えられ、それらの変形がすべて本発明の保護範囲にある。本発明の保護方案は本発明の権利要請書を標準とすべきである。
【要約】
【課題】本発明は防火用の磁気浮上式レール移動隔離システムを開示した。
【解決手段】本発明は防火用の磁気浮上式レール移動隔離システムを開示し、壁体に固定的に装着された固定枠を含み、前記固定枠内には浮上レールが設置され、前記浮上レール内には仕切りドアがスライド可能に装着され、前記固定枠内には移動部品が設置され、前記移動部品は前記浮上レールが浮上した後に、前記浮上レールを密封して隔離し、又は開けることができ、本発明は磁気浮上の原理を用い、質量の大きい仕切りドアが防火隔離をする時に、素早く反応でき、各機械部品の摩損を軽減し、使用寿命を延ばし、また、室内の火事状況と人員を監視でき、火事が発生した時に、自動的に防火隔離を行い、人員が通過する時に、自動的に緊急出入口を開け、避難を便利にさせ、通常のドアとして使用でき、開閉が便利である。
【選択図】図１【図１】
0006750144.tif 000002
【図２】
0006750144.tif 000003
【図３】
0006750144.tif 000004
【図４】
0006750144.tif 000005
【図５】
0006750144.tif 000006
【図６】
0006750144.tif 000007
【図７】
0006750144.tif 000008